(57)【要約】【課題】タッチパネルを操作することにより、一台で複数台分の機能を使い分けることが可能な携帯電話機などの端末機器を提供する。【解決手段】記憶部２１に各暗証コード毎に各動作モードが対応付けられて登録され、また、同各暗証コード毎に軌跡情報ｔｃが対応付けられて登録される。そして、軌跡情報生成部２２で生成された軌跡情報ｔｂと登録されている各軌跡情報ｔｃとの一致／不一致が判定され、軌跡情報ｔｂが各軌跡情報ｔｃのいずれか一つと一致するとき、一致した軌跡情報ｔｃに対応した暗証コードに対応する動作モードが選択されて設定され、一台で複数台分の機能を使い分けることが可能な携帯電話機１が実現する。【選択図】図２
2010010845.tif 000002
【特許請求の範囲】
【請求項１】
タッチパネルと、該タッチパネルで行われた接触操作の軌跡を表す第１の軌跡情報を生成する軌跡情報生成手段とを有する端末機器であって、
複数の暗証コードの各暗証コード毎に各動作モードを対応付けてあらかじめ登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定手段が設けられていることを特徴とする端末機器。
【請求項２】
任意の接触操作を行うためのタッチパネルと、該タッチパネルで行われた前記接触操作の軌跡を表す第１の軌跡情報を生成する軌跡情報生成手段とを有する端末機器であって、
複数の暗証コードの各暗証コード毎に各動作モードを対応付けて登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定手段が設けられていることを特徴とする端末機器。
【請求項３】
前記動作モード設定手段は、
当該動作モードを設定した後、他の動作モードに変更して設定可能な構成とされていることを特徴とする請求項２記載の端末機器。
【請求項４】
前記動作モード設定手段は、
前記各暗証コード毎に各動作モードを対応付けてモードファイルとして登録する動作モード登録手段と、
前記各暗証コード毎に前記第２の軌跡情報を対応付けて登録する軌跡情報登録手段と、
前記軌跡情報生成手段で生成された前記第１の軌跡情報と前記軌跡情報登録手段に登録されている前記各第２の軌跡情報との一致／不一致を判定し、前記第１の軌跡情報が前記各第２の軌跡情報のいずれか一つと一致するとき、該第２の軌跡情報に対応した前記暗証コードに対応する前記動作モードを選択する動作モード選択手段とから構成されていることを特徴とする請求項２又は３記載の端末機器。
【請求項５】
前記動作モード登録手段は、
任意の動作モードを任意に登録又は抹消可能な構成とされていることを特徴とする請求項４記載の端末機器。
【請求項６】
前記軌跡情報登録手段は、
任意の前記第２の軌跡情報を任意に登録又は抹消可能な構成とされていることを特徴とする請求項４又は５記載の端末機器。
【請求項７】
タッチパネルと、該タッチパネルで行われた接触操作の軌跡を表す第１の軌跡情報を生成する軌跡情報生成手段とを有する端末機器に用いられる動作モード変更方法であって、
複数の暗証コードの各暗証コード毎に各動作モードを対応付けてあらかじめ登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定処理を行うことを特徴とする動作モード変更方法。
【請求項８】
任意の接触操作を行うためのタッチパネルと、該タッチパネルで行われた前記接触操作の軌跡を表す第１の軌跡情報を生成する軌跡情報生成手段とを有する端末機器に用いられる動作モード変更方法であって、
複数の暗証コードの各暗証コード毎に各動作モードを対応付けて登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定処理を行うことを特徴とする動作モード変更方法。
【請求項９】
前記動作モード設定処理では、
当該動作モードを設定した後、他の動作モードに変更して設定可能であることを特徴とする請求項８記載の動作モード変更方法。
【請求項１０】
前記動作モード設定処理では、
前記各暗証コード毎に各動作モードを対応付けてモードファイルとして登録する動作モード登録処理と、
前記各暗証コード毎に前記第２の軌跡情報を対応付けて登録する軌跡情報登録処理と、
前記軌跡情報生成手段で生成された前記第１の軌跡情報と前記軌跡情報登録処理で登録されている前記各第２の軌跡情報との一致／不一致を判定し、前記第１の軌跡情報が前記各第２の軌跡情報のいずれか一つと一致するとき、該第２の軌跡情報に対応した前記暗証コードに対応する前記動作モードを選択する動作モード選択処理とを行うことを特徴とする請求項８又は９記載の動作モード変更方法。
【請求項１１】
前記動作モード登録処理では、
任意の動作モードを任意に登録又は抹消可能であることを特徴とする請求項１０記載の動作モード変更方法。
【請求項１２】
前記軌跡情報登録処理では、
任意の前記第２の軌跡情報を任意に登録又は抹消可能であることを特徴とする請求項１０又は１１記載の動作モード変更方法。
【請求項１３】
コンピュータに請求項１乃至６のいずれか一に記載の端末機器を制御させるための動作モード変更制御プログラム。
【発明の詳細な説明】
【技術分野】
【０００１】
この発明は、端末機器、該端末機器に用いられる動作モード変更方法及び動作モード変更制御プログラムに係り、特に、タッチパネルをもつ携帯電話機などに適用され、一台で複数台分の機能を使い分ける場合に用いて好適な端末機器、該端末機器に用いられる動作モード変更方法及び動作モード変更制御プログラムに関する。
【背景技術】
【０００２】
携帯電話機などでは、待受け画面の切替えなどの各種設定や電話帳の閲覧権限などのユーザデータは、ユーザ自身が操作することにより、設定の変更やデータの変更を行う必要がある。また、携帯電話機を、たとえばビジネス用とプライベート用とに使い分けたい場合でも、設定変更やデータ変更の手段がないため、現状では、ユーザが用途に応じた別々の携帯電話機を所持することが主流になっている。このため、一台の携帯電話機を一人の人物が用途に応じて簡単に使い分けることができれば、利便性が向上すると考えられる。
【０００３】
この種の関連する技術としては、たとえば、特許文献１に記載された情報処理システムがある。
この情報処理システムでは、端末にて、カード読取部により、カードから第１の暗証番号と第１の指紋情報とが読み取られて出力される。指紋読取部により、ユーザの指紋が検出されて第２の指紋情報が出力される。タッチキーボードにタッチされて暗証番号が入力されると、タッチ位置に応じて同暗証番号が第２の暗証番号として出力される。照合部により、第１の暗証番号と第２の暗証番号とが照合されると共に、第１の指紋情報と第２の指紋情報とが照合され、同第１の暗証番号と同第２の暗証番号とが一致し、かつ、同第１の指紋情報と同第２の指紋情報との合致の割合が規定値以上のときに合致信号が出力される。これにより、端末の操作者個人が識別され、ホストコンピュータに対してタッチキーボードを介するアクセスを可能とする業務処理プログラム実行手段が起動される。
【０００４】
また、特許文献２に記載されたタッチパネルつき携帯端末装置では、タッチパネル制御部に、タッチパネルの特定の領域に対する簡便な操作をジェスチャとして登録するジェスチャ登録手段と、ジェスチャ識別手段と、有効入力識別手段と、タイマ手段と、タッチパネルの動作制御手段と、タッチパネルからの入力を表示する動作状態表示手段とが設けられている。入力操作を有効にするジェスチャが識別されて、タッチパネルからの入力操作が有効になる一方、入力操作を無効にするジェスチャが識別されて、タッチパネルからの入力操作が無効になる。タイマ手段により、タッチパネルからの有効な入力操作が一定時間ないことが検出されると、有効にするジェスチャが検出されるまで、入力操作が無効となる。簡単なジェスチャによる指示で、タッチパネルの有効／無効の制御が行われる。
【特許文献１】特開平０６−１３９２６７号公報（要約書、図１）
【特許文献２】特開平１１−２０３０４５号公報（要約書、図１）
【発明の開示】
【発明が解決しようとする課題】
【０００５】
しかしながら、上記各文献に記載された技術では、次のような問題点があった。
すなわち、特許文献１に記載された情報処理システムでは、暗証番号及び指紋情報に基づいて端末側のみで操作者に対して個人識別が行われ、また、タッチキーボード対するタッチ位置に応じて第２の暗証番号が出力されるが、同タッチ位置は暗証番号に対応するものであり、この発明とは構成が異なる他、一台で複数台分の機能を使い分ける構成にはなっていない。
【０００６】
また、特許文献２に記載された携帯端末装置では、タッチパネルによる入力操作が確実かつ快適に行われるが、一台で複数台分の機能を使い分ける構成にはなっていない。
【０００７】
この発明は、上述の事情に鑑みてなされたもので、タッチパネルを操作することにより、一台で複数台分の機能を使い分けることが可能な端末機器、該端末機器に用いられる動作モード変更方法及び動作モード変更制御プログラムを提供することを目的としている。
【課題を解決するための手段】
【０００８】
上記課題を解決するために、この発明の第１の構成は、タッチパネルと、該タッチパネルで行われた接触操作の軌跡を表す第１の軌跡情報を生成する軌跡情報生成手段とを有する端末機器に係り、複数の暗証コードの各暗証コード毎に各動作モードを対応付けてあらかじめ登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定手段が設けられていることを特徴としている。
【０００９】
この発明の第２の構成は、タッチパネルと、該タッチパネルで行われた接触操作の軌跡を表す第１の軌跡情報を生成する軌跡情報生成手段とを有する端末機器に用いられる動作モード変更方法に係り、複数の暗証コードの各暗証コード毎に各動作モードを対応付けてあらかじめ登録すると共に、前記各暗証コード毎に第２の軌跡情報を対応付けて登録し、前記軌跡情報生成手段で生成された前記第１の軌跡情報が前記各第２の軌跡情報のいずれか一つと一致するとき、該第２の軌跡情報に対応した前記暗証コードに対応する前記動作モードを選択して設定する動作モード設定処理を行うことを特徴としている。
【発明の効果】
【００１０】
この発明の構成によれば、動作モード設定手段により、複数の暗証コードの各暗証コード毎に各動作モードが対応付けられてあらかじめ登録されると共に、上記各暗証コード毎に第２の軌跡情報が対応付けられて登録され、軌跡情報生成手段で生成された第１の軌跡情報が各第２の軌跡情報のいずれか一つと一致するとき、同第２の軌跡情報に対応した暗証コードに対応する動作モードが選択されて設定されるので、用途別の設定に自動的に変更され、一台で複数台分の機能を使い分けることが可能な端末機器を実現できる。これにより、同端末機器は、たとえばビジネス用とプライベート用とに使い分けたい場合に効果的である。また、第三者にセキュリティロックが故意に解除されたとしても、その暗証コードによって、電話帳などのユーザデータの閲覧権限が限定されるため、端末機器の紛失時のセキュリティを向上させることができる。
【発明を実施するための最良の形態】
【００１１】
任意の接触操作を行うためのタッチパネルと、該タッチパネルで行われた上記接触操作の軌跡を表す第１の軌跡情報を生成する軌跡情報生成手段とを有し、複数の暗証コードの各暗証コード毎に各動作モードを対応付けて登録すると共に、上記各暗証コード毎に第２の軌跡情報を対応付けて登録し、上記軌跡情報生成手段で生成された上記第１の軌跡情報が上記各第２の軌跡情報のいずれか一つと一致するとき、該第２の軌跡情報に対応した上記暗証コードに対応する上記動作モードを選択して設定する動作モード設定手段が設けられている端末機器を提供する。
【００１２】
また、この発明では、上記動作モード設定手段は、当該動作モードを設定した後、他の動作モードに変更して設定可能な構成とされている。
【００１３】
また、この発明では、上記動作モード設定手段は、上記各暗証コード毎に各動作モードを対応付けて登録する動作モード登録手段と、上記各暗証コード毎に上記第２の軌跡情報を対応付けて登録する軌跡情報登録手段と、上記軌跡情報生成手段で生成された上記第１の軌跡情報と上記軌跡情報登録手段に登録されている上記各第２の軌跡情報との一致／不一致を判定し、上記第１の軌跡情報が上記各第２の軌跡情報のいずれか一つと一致するとき、該第２の軌跡情報に対応した上記暗証コードに対応する上記動作モードを選択する動作モード選択手段とから構成されている。
【００１４】
また、この発明では、上記動作モード登録手段は、任意の動作モードを任意に登録又は抹消可能な構成とされている。
【００１５】
また、この発明では、上記軌跡情報登録手段は、任意の上記第２の軌跡情報を任意に登録又は抹消可能な構成とされている。
【実施例】
【００１６】
図１は、この発明の一実施例である端末機器の構成の概念を示す図である。
この例の端末機器は、同図に示すように、携帯電話機１であり、各暗証コードｐｗ1 ，ｐｗ2 ，…，ｐｗn 毎に各動作モードが対応付けられたモードファイルｆ1 ，ｆ2 ，…，ｆn が登録されている。特に、この実施例では、モードファイルｆ1  ，ｆ2 ，…，ｆn は、各暗証コードｐｗ1  ，ｐｗ2 ，…，ｐｗn に対応する各種設定、及びユーザデータ（たとえば、電話帳、スケジュールなど）から構成されている。
【００１７】
図２は、図１中の携帯電話機１の要部の電気的構成を示すブロック図である。
この携帯電話機１は、同図２に示すように、アンテナ１１と、ＲＦ回路１２と、変復調回路１３と、ベースバンド処理回路１４と、コーデック回路１５と、レシーバ１６と、マイクロホン１７と、制御部１８と、操作部１９と、記憶部（ＲＯＭ、Read Only Memory）２０と、記憶部（ＲＡＭ、Random Access Memory）２１と、軌跡情報生成部２２と、表示部２３と、タッチパネル２４とから構成されている。アンテナ１１は、図示しない無線基地局との間で電波ｗを送受信する。無線基地局は、図示しない在圏移動通信交換局及び関門移動通信交換局を介して一般電話回線網に接続されている。ＲＦ回路１２は、ＲＦ回路１２は、図示しない受信回路、送信回路及び周波数シンセサイザを有している。
【００１８】
変復調回路１３は、ＲＦ回路１２から出力される受信電波の復調、及び送信電波の変調を行って同ＲＦ回路１２へ出力する。ベースバンド処理回路１４は、変復調回路１３から出力される復調信号より元のベースバンド信号を取り出してコーデック回路１５へ供給すると共に、同復調信号よりキャラクタデータを取り出して制御部１８へ供給する。コーデック回路１５は、ベースバンド処理回路１４から出力されるベースバンド信号をデジタル／アナログ変換（Ｄ／Ａ変換）してレシーバ１６へ供給すると共に、制御部１８の出力信号をＤ／Ａ変換する。レシーバ１６は、送信相手からの受話音声を出力してユーザに伝達する。マイクロホン１７は、送話音声を集音してアナログ音声信号ｓａに変換する。また、上記コーデック回路１５は、マイクロホン１７から出力されるアナログ音声信号ｓａを符号化してベースバンド処理回路１４へ送出する。
【００１９】
表示部２３は、たとえばＬＣＤ（液晶表示装置）などで構成され、相手先の電話番号情報やアイコン情報など、諸々の情報を表示する。操作部１９は、送信ボタン、英字／カナ／漢字／数字の変換ボタン、電源のオン／オフボタン、カーソル操作を行うための十文字ボタン、及び終了ボタンなどから構成されている。タッチパネル２４は、表示部２３の表示面上に、たとえば抵抗膜方式のタッチパネルで構成され、指やペンなどで接触操作が行われた位置を検出して位置情報ｔａを出力する。軌跡情報生成部２２は、タッチパネル２４から出力される位置情報ｔａに基づいて、同タッチパネル２４で行われた接触操作の軌跡（ジェスチャ）を表す軌跡情報ｔｂ（第１の軌跡情報）を生成する。
【００２０】
記憶部（ＲＡＭ）２１は、各暗証コードｐｗ1 ，ｐｗ2 ，…，ｐｗn 毎に各動作モードを対応付けて、図１中のモードファイルｆ1 ，ｆ2 ，…，ｆn として登録すると共に、上記各暗証コードｐｗ1 ，ｐｗ2 ，…，ｐｗn 毎に軌跡情報ｔｃ（第２の軌跡情報）を対応付けて登録する。また、記憶部２１は、任意の動作モード又は任意の軌跡情報ｔｃを任意に登録又は抹消可能な構成とされている。制御部１８は、たとえばコンピュータとしてのＣＰＵ（中央処理装置）などで構成され、携帯電話機１全体を制御する。特に、この実施例では、制御部１８は、軌跡情報生成部２２で生成された軌跡情報ｔｂと記憶部２１に登録されている各軌跡情報ｔｃとの一致／不一致を判定し、軌跡情報ｔｂが各第２の軌跡情報ｔｃのいずれか一つと一致するとき、同軌跡情報ｔｃに対応した暗証コードに対応する動作モードを選択する。また、制御部１８は、当該動作モードを設定した後、他の動作モードに変更して設定可能な構成とされている。記憶部（ＲＯＭ）２０は、制御部１８を動作させるための動作モード変更制御プログラムや、表示部２３に表示するためのデータなどを記憶する。
【００２１】
図３は、携帯電話機１の動作を説明するフローチャート、及び、図４が、タッチパネル２４で行われる接触操作の軌跡の例を示す図である。
これらの図を参照して、この例の携帯電話機１に用いられる動作モード変更方法の処理内容について説明する。
この携帯電話機１では、動作モード設定処理が行われ、同動作モード設定処理では、各暗証コードｐｗ1 ，ｐｗ2 ，…，ｐｗn 毎に各動作モードが対応付けられて登録され（動作モード登録処理）、同各暗証コードｐｗ1 ，ｐｗ2 ，…，ｐｗn 毎に軌跡情報ｔｃが対応付けられて登録される（軌跡情報登録処理）。そして、軌跡情報生成部２２で生成された軌跡情報ｔｂと上記軌跡情報登録処理で登録されている各軌跡情報ｔｃとの一致／不一致が判定され、軌跡情報ｔｂが各軌跡情報ｔｃのいずれか一つと一致するとき、同軌跡情報ｔｃに対応した暗証コードに対応する動作モードが選択され（動作モード選択処理）、設定される。また、この動作モード設定処理では、当該動作モードが設定された後、他の動作モードに変更して設定可能であり、また、任意の動作モード又は任意の軌跡情報ｔｃが任意に登録又は抹消可能である。
【００２２】
すなわち、図３に示すように、待機状態などの通常状態からセキュリティロック解除又はモード変更機能を起動すると、暗証コード入力待ち状態へ遷移する（ステップＡ１）。
次に、タッチパネル２４での接触操作による軌跡により暗証コードが入力され（ステップＡ２）、入力された暗証コードが予め登録されているものであれば、その暗証コードに対応する各種設定及びユーザデータが読み込まれて動作モードが変更され（ステップＡ３）、たとえば電話帳の閲覧権限が変更される。この場合、たとえば図４（ａ）に示すように、始点から終点に至る接触操作により、数字“１”が入力される。また、図４（ｂ）に示すように、始点から終点に至る接触操作により、数字“１２３４”が入力される。また、図４（ｃ）に示すように、始点から終点に至る接触操作により、絵文字“山”が入力される。各動作モード変更後には、いずれも他の動作モードＭ1 ，Ｍ2 ，…，Ｍn へ変更可能な状態へ遷移する（ステップＡ４）。
【００２３】
以上のように、この実施例では、記憶部２１に各暗証コードｐｗ1 ，ｐｗ2 ，…，ｐｗn 毎に各動作モードが対応付けられて登録され、また、同各暗証コードｐｗ1 ，ｐｗ2 ，…，ｐｗn 毎に軌跡情報ｔｃが対応付けられて登録され、軌跡情報生成部２２で生成された軌跡情報ｔｂと登録されている各軌跡情報ｔｃとの一致／不一致が判定され、軌跡情報ｔｂが各軌跡情報ｔｃのいずれか一つと一致するとき、一致した軌跡情報ｔｃに対応した暗証コードに対応する動作モードが選択されて設定されるので、用途別の設定に自動的に変更され、一台で複数台分の機能を使い分けることが可能な携帯電話機１が実現する。また、第三者にセキュリティロックが故意に解除されたとしても、その暗証コードによって、電話帳などのユーザデータの閲覧権限が限定されるため、携帯電話機１の紛失時の安全性が向上する。
【００２４】
以上、この発明の実施例を図面により詳述してきたが、具体的な構成は同実施例に限られるものではなく、この発明の要旨を逸脱しない範囲の設計の変更などがあっても、この発明に含まれる。
たとえば、タッチパネル２４の部分にかかるユーザの指の状態に基づいて、表示部２３での画面表示内容を変更するようにしても良い。この場合、たとえば、片手の親指により操作される状態、又は両手の人差し指により操作される状態に応じて、ユーザの操作しやすい画面が表示される。また、タッチパネル２４は、抵抗膜方式の他、静電容量方式、超音波方式、赤外線方式、電磁誘導方式などがあり、接触操作が行われた位置を検出して位置情報ｔａを出力する機能を有するものであれば、任意の構成のもので良い。
【産業上の利用可能性】
【００２５】
この発明は、携帯電話機に限らず、タッチパネルを有するＰＤＡ（Personal Digital Assistants ）やＰＨＳ（Personal Handyphone System）などの端末機器全般に適用され、特に、一台で複数台分の機能を使い分ける場合に有効である。
【図面の簡単な説明】
【００２６】
【図１】この発明の一実施例である端末機器の構成の概念を示す図である。
【図２】図１中の携帯電話機１の要部の電気的構成を示すブロック図である。
【図３】携帯電話機１の動作を説明するフローチャートである。
【図４】タッチパネル２４で行われる接触操作の軌跡の例を示す図である。
【符号の説明】
【００２７】
１      携帯電話機（端末機器）
１８      制御部（動作モード設定手段の一部、動作モード選択手段）
２１      記憶部（ＲＡＭ、Random Access Memory）（動作モード設定手段の一部、動作モード登録手段、軌跡情報登録手段）
２２      軌跡情報生成部（軌跡情報生成手段）
２４      タッチパネル
ｆ1 ，ｆ2 ，…，ｆn       モードファイル
ｐｗ1 ，ｐｗ2 ，…，ｐｗn       暗証コード
ｔｂ      軌跡情報（第１の軌跡情報）
ｔｃ      軌跡情報（第２の軌跡情報
【図１】
2010010845.tif 000003
【図２】
2010010845.tif 000004
【図３】
2010010845.tif 000005
【図４】
2010010845.tif 000006